(57)【要約】      （修正有）【課題】外科用ステープル留め器具のためのコネクタ機構を提供する。【解決手段】外科用ステープル留め器具１０は、本体部分と、本体部分から延在するツールアセンブリ１０４と、を含む。ツールアセンブリは、顎部材と、顎部材内に配設された第１のコネクタアセンブリと、を含む。第１のコネクタアセンブリは、第１のコネクタハウジングと、第１のコネクタハウジングから延在する第１および第２のコネクタ部材と、を含む。外科用ステープル留め器具は、顎部材内に選択的に受容可能なカートリッジアセンブリを更に含む。カートリッジアセンブリは、第１のコネクタアセンブリと電気的に接続するように構成された第２のコネクタアセンブリを含む。第２のコネクタアセンブリは、第２のコネクタハウジングと、第２のコネクタハウジング内に配設された第１および第２の接触部材と、を含む。【選択図】図１
2020044327.tif 000002
【特許請求の範囲】
【請求項１】
外科用ステープル留め器具であって、
ハンドルアセンブリと動作可能に係合するように構成された近位本体部分と、
前記近位本体部分から延在するツールアセンブリであって、前記ツールアセンブリが、アンビルアセンブリと、顎部材に対して旋回可能に固定された前記顎部材と、前記顎部材内に配設された第１のコネクタアセンブリと、を含み、前記第１のコネクタアセンブリが、第１のコネクタハウジングと、前記第１のコネクタハウジングから延在している第１および第２のコネクタ部材と、を含む、ツールアセンブリと、
前記ツールアセンブリの前記顎部材内に選択的に受容可能なカートリッジアセンブリであって、前記カートリッジアセンブリが、前記カートリッジアセンブリが前記顎部材内に受容されたときに、前記第１のコネクタアセンブリと電気的に接続するように構成された第２のコネクタアセンブリを含み、前記第２のコネクタアセンブリが、第２のコネクタハウジングと、前記第２のコネクタハウジング内に配設された第１および第２の接触部材と、を含み、前記第１のコネクタアセンブリの前記第１および第２のコネクタ部材が、前記カートリッジアセンブリが前記ツールアセンブリの前記顎部材内に受容されたときに、前記第２のコネクタハウジングの前記それぞれの第１および第２の接触部材と係合するように構成されている、カートリッジアセンブリと、を備える、外科用ステープル留め器具。
【請求項２】
前記カートリッジアセンブリが、カートリッジ本体と、支持板と、を含む、請求項１に記載の外科用ステープル留め器具。
【請求項３】
前記近位本体部分に動作可能に固定されたハンドルアセンブリを更に含む、請求項１に記載の外科用ステープル留め器具。
【請求項４】
前記第１および第２のコネクタアセンブリが、前記カートリッジアセンブリを前記ハンドルアセンブリと電気的に接続するためのコネクタ機構を形成している、請求項３に記載の外科用ステープル留め器具。
【請求項５】
前記第１および第２のコネクタ部材が、面取りされた前縁を各々含む、請求項１に記載の外科用ステープル留め器具。
【請求項６】
前記第１および第２の接触部材が、コイルばねを各々含む、請求項１に記載の外科用ステープル留め器具。
【請求項７】
前記第１および第２の接触部材が、板ばねを各々含む、請求項１に記載の外科用ステープル留め器具。
【請求項８】
前記板ばねの各々が、傾斜した係合面を含む、請求項７に記載の外科用ステープル留め器具。
【請求項９】
前記板ばねの各々が、前記それぞれの第１または第２のコネクタ部材と係合したときに、内側に撓むように構成されている、請求項８に記載の外科用ステープル留め器具。
【請求項１０】
前記第２のコネクタアセンブリが、前記第２のコネクタハウジング上に封止部材支持部を含む、請求項１に記載の外科用ステープル留め器具。
【請求項１１】
前記封止部材が、前記第１のコネクタアセンブリの前記第１および第２のコネクタ部材を受容するための第１および第２のアパーチャを含む、請求項１０に記載の外科用ステープル留め器具。
【請求項１２】
前記封止部材が、前記第１および第２のコネクタ部材が前記第１および第２のアパーチャを通って受容されたときに、洗浄アクションを提供する、請求項１１に記載の外科用ステープル留め器具。
【請求項１３】
前記洗浄アクションが、スキージまたは拭き取りアクションである、請求項１２に記載の外科用ステープル留め器具。
【請求項１４】
前記第１のコネクタアセンブリが、フランジおよび支柱接続によって前記顎部材に固定されている、請求項１に記載の外科用ステープル留め器具。
【請求項１５】
前記第２のコネクタアセンブリが、識別チップを含み、前記カートリッジアセンブリの仕様が、前記識別チップにロードされている、請求項１に記載の外科用ステープル留め器具。
【発明の詳細な説明】
【技術分野】
【０００１】
本開示は、識別チップを有する交換可能なカートリッジアセンブリを含む外科用ステープル留め器具に関する。より具体的には、本開示は、外科用ステープル留め器具のカートリッジアセンブリの識別チップをステープル留め器具のハンドルアセンブリに接続するための電気コネクタに関する。
【背景技術】
【０００２】
外科用ステープルの列を組織に適用するための外科用ステープル留め器具は、当技術分野において既知であり、動力式ハンドルアセンブリと、ハンドルアセンブリから遠位方向に延在している本体部分と、本体部分の遠位端において支持され、かつ本体部分に対して関節運動可能であるステープル留めエンドエフェクタと、を典型的に含む。ステープル留めエンドエフェクタは、離間位置と接近位置との間で互いに対して移動可能である第１および第２の顎を含む。第１の顎は、アンビルアセンブリを支持し、第２の顎は、カートリッジアセンブリを支持する。カートリッジアセンブリは、外科手術中にエンドエフェクタの再使用を可能にするために交換可能であり得る。交換可能なカートリッジアセンブリは、異なる特性、例えば、厚さ、密度を有する組織上での使用のために様々な構成で提供され得る。例えば、異なるカートリッジアセンブリは、異なるサイズのステープルおよび／またはステープルの異なる構成を有し得る。
【０００３】
多くのカートリッジアセンブリは、識別チップを含み、この識別チップは、ハンドルアセンブリが、取り付けられたカートリッジアセンブリと動作するようにプログラムされていることを確実にするために、外科手術ステープル留め器具の本体部分を通って延在する導体によってハンドルアセンブリに電気的に結合される。カートリッジアセンブリを外科用ステープル留め器具に取り付ける間、カートリッジアセンブリの不適切な装填は、カートリッジアセンブリと外科用ステープル留め器具との間の電気的接続への損傷をもたらし得る。同様に、外科手術中に電気的接続部を流体にさらすと、外科用ステープル留め器具の動作に損傷を与え、著しく影響を及ぼす可能性がある。カートリッジアセンブリの装填中および外科用ステープル留め器具の使用中の電気的接続への損傷を防止するために、改善された電気的接続を有するカートリッジアセンブリを提供することは有益であろう。
【発明の概要】
【課題を解決するための手段】
【０００４】
したがって、コネクタ機構を含む外科用ステープル留め器具が提供される。外科用ステープル留め器具は、ハンドルアセンブリと動作可能に係合するように構成された近位本体部分と、近位本体部分から延在するツールアセンブリと、を含む。ツールアセンブリは、アンビルアセンブリと、アンビルアセンブリに対して旋回可能に固定された顎部材と、顎部材内に配設された第１のコネクタアセンブリと、を含む。第１のコネクタアセンブリは、第１のコネクタハウジングと、第１のコネクタハウジングから延在する第１および第２のコネクタ部材と、を含む。外科用ステープル留め器具は、ツールアセンブリの顎部材内に選択的に受容可能なカートリッジアセンブリを更に含む。カートリッジアセンブリは、カートリッジアセンブリが顎部材内に受容されたときに、第１のコネクタアセンブリと電気的に接続するように構成された第２のコネクタアセンブリを含む。第２のコネクタアセンブリは、第２のコネクタハウジングと、第２のコネクタハウジング内に配設された第１および第２の接触部材と、を含む。第１のコネクタアセンブリの第１および第２のコネクタ部材は、カートリッジアセンブリがツールアセンブリの顎部材内に受容されたときに、第２のコネクタハウジングのそれぞれの第１および第２の接触部材と係合するように構成される。
【０００５】
実施形態では、カートリッジアセンブリは、カートリッジ本体と、支持板と、を含む。外科用ステープル留め器具は、近位本体部分に動作可能に固定されたハンドルアセンブリを更に含んでもよい。第１および第２のコネクタアセンブリは、カートリッジアセンブリをハンドルアセンブリと電気的に接続するためのコネクタ機構を形成してもよい。第１および第２のコネクタ部材は、面取りされた前縁を各々含んでもよい。
【０００６】
いくつかの実施形態では、第１および第２の接触部材は、コイルばねを各々含む。代替的に、第１および第２の接触部材は、板ばねを各々含んでもよい。板ばねの各々は、傾斜した係合面を含んでもよい。板ばねの各々は、それぞれの第１または第２のコネクタ部材と係合したときに、内側に撓むように構成されてもよい。
【０００７】
カートリッジアセンブリの第２のコネクタアセンブリは、第２のコネクタハウジング上に封止部材支持体を含んでもよい。封止部材は、第１のコネクタアセンブリの第１および第２のコネクタ部材を受容するための第１および第２のアパーチャを含んでもよい。封止部材は、第１および第２のコネクタ部材が第１および第２のアパーチャを通って受容されたときに、洗浄アクションを提供してもよい。洗浄アクションは、スキージまたは拭き取りアクションであってもよい。
【０００８】
第１のコネクタアセンブリは、フランジおよび支柱接続によって顎部材に固定されてもよい。第２のコネクタアセンブリは、識別チップを含んでもよい。カートリッジアセンブリの仕様は、識別チップにロードされてもよい。
例えば、本願は以下の項目を提供する。
（項目１）
外科用ステープル留め器具であって、
ハンドルアセンブリと動作可能に係合するように構成された近位本体部分と、
上記近位本体部分から延在するツールアセンブリであって、上記ツールアセンブリが、アンビルアセンブリと、顎部材に対して旋回可能に固定された上記顎部材と、上記顎部材内に配設された第１のコネクタアセンブリと、を含み、上記第１のコネクタアセンブリが、第１のコネクタハウジングと、上記第１のコネクタハウジングから延在している第１および第２のコネクタ部材と、を含む、ツールアセンブリと、
上記ツールアセンブリの上記顎部材内に選択的に受容可能なカートリッジアセンブリであって、上記カートリッジアセンブリが、上記カートリッジアセンブリが上記顎部材内に受容されたときに、上記第１のコネクタアセンブリと電気的に接続するように構成された第２のコネクタアセンブリを含み、上記第２のコネクタアセンブリが、第２のコネクタハウジングと、上記第２のコネクタハウジング内に配設された第１および第２の接触部材と、を含み、上記第１のコネクタアセンブリの上記第１および第２のコネクタ部材が、上記カートリッジアセンブリが上記ツールアセンブリの上記顎部材内に受容されたときに、上記第２のコネクタハウジングの上記それぞれの第１および第２の接触部材と係合するように構成されている、カートリッジアセンブリと、を備える、外科用ステープル留め器具。
（項目２）
上記カートリッジアセンブリが、カートリッジ本体と、支持板と、を含む、上記項目に記載の外科用ステープル留め器具。
（項目３）
上記近位本体部分に動作可能に固定されたハンドルアセンブリを更に含む、上記項目のいずれか一項に記載の外科用ステープル留め器具。
（項目４）
上記第１および第２のコネクタアセンブリが、上記カートリッジアセンブリを上記ハンドルアセンブリと電気的に接続するためのコネクタ機構を形成している、上記項目のいずれか一項に記載の外科用ステープル留め器具。
（項目５）
上記第１および第２のコネクタ部材が、面取りされた前縁を各々含む、上記項目のいずれか一項に記載の外科用ステープル留め器具。
（項目６）
上記第１および第２の接触部材が、コイルばねを各々含む、上記項目のいずれか一項に記載の外科用ステープル留め器具。
（項目７）
上記第１および第２の接触部材が、板ばねを各々含む、上記項目のいずれか一項に記載の外科用ステープル留め器具。
（項目８）
上記板ばねの各々が、傾斜した係合面を含む、上記項目のいずれか一項に記載の外科用ステープル留め器具。
（項目９）
上記板ばねの各々が、上記それぞれの第１または第２のコネクタ部材と係合したときに、内側に撓むように構成されている、上記項目のいずれか一項に記載の外科用ステープル留め器具。
（項目１０）
上記第２のコネクタアセンブリが、上記第２のコネクタハウジング上に封止部材支持部を含む、上記項目のいずれか一項に記載の外科用ステープル留め器具。
（項目１１）
上記封止部材が、上記第１のコネクタアセンブリの上記第１および第２のコネクタ部材を受容するための第１および第２のアパーチャを含む、上記項目のいずれか一項に記載の外科用ステープル留め器具。
（項目１２）
上記封止部材が、上記第１および第２のコネクタ部材が上記第１および第２のアパーチャを通って受容されたときに、洗浄アクションを提供する、上記項目のいずれか一項に記載の外科用ステープル留め器具。
（項目１３）
上記洗浄アクションが、スキージまたは拭き取りアクションである、上記項目のいずれか一項に記載の外科用ステープル留め器具。
（項目１４）
上記第１のコネクタアセンブリが、フランジおよび支柱接続によって上記顎部材に固定されている、上記項目のいずれか一項に記載の外科用ステープル留め器具。
（項目１５）
上記第２のコネクタアセンブリが、識別チップを含み、上記カートリッジアセンブリの仕様が、上記識別チップにロードされている、上記項目のいずれか一項に記載の外科用ステープル留め器具。
（摘要）
外科用ステープル留め器具は、本体部分と、本体部分から延在するツールアセンブリと、を含む。ツールアセンブリは、顎部材と、顎部材内に配設された第１のコネクタアセンブリと、を含む。第１のコネクタアセンブリは、第１のコネクタハウジングと、第１のコネクタハウジングから延在する第１および第２のコネクタ部材と、を含む。外科用ステープル留め器具は、顎部材内に選択的に受容可能なカートリッジアセンブリを更に含む。カートリッジアセンブリは、第１のコネクタアセンブリと電気的に接続するように構成された第２のコネクタアセンブリを含む。第２のコネクタアセンブリは、第２のコネクタハウジングと、第２のコネクタハウジング内に配設された第１および第２の接触部材と、を含む。第１のコネクタアセンブリの第１および第２のコネクタ部材は、カートリッジアセンブリがツールアセンブリの顎部材内に受容されたときに、第２のコネクタハウジングのそれぞれの第１および第２の接触部材と係合するように構成されている。
【図面の簡単な説明】
【０００９】
本開示のコネクタ機構の様々な実施形態を、図面を参照して本明細書に記載する。
【００１０】
【図１】本開示の実施形態によるコネクタ機構を有する装填ユニットを含む、外科用ステープル留め器具の斜視図である。
【図２】図１に示される外科用ステープル留め器具の装填ユニットの側面斜視図である。
【図３】装填ユニットの顎部材に装填される前の輸送ウェッジを含む、装填ユニットのカートリッジアセンブリを有する、図２に示される装填ユニットの正面斜視図である。
【図４】図３に示されるカートリッジアセンブリの側面斜視端面図である。
【図５】第１のコネクタアセンブリを含む、図３に示される示された詳細領域の拡大図である。
【図６】第２のコネクタアセンブリを含む、図４に示される示された詳細領域の拡大図である。
【図７】図２に示される装填ユニットの顎部材内に固定された、図３に示される第１のコネクタアセンブリの側面斜視図である。
【図８】図７に示される、示された詳細領域の拡大図である。
【図９】図７に示される第１のコネクタアセンブリおよび顎部材の近位部分の、部品が分離されている側面斜視図である。
【図１０】図９に示される第１のコネクタアセンブリの側面斜視図である。
【図１１】図４に示される第２のコネクタアセンブリおよびカートリッジアセンブリの近位部分の斜視図である。
【図１２】図１１に示される第２のコネクタアセンブリおよびカートリッジアセンブリの近位部分の、部品が分離されている斜視図である。
【図１３】本開示の一実施形態による第２のコネクタアセンブリの斜視端面図である。
【図１４】本開示の別の実施形態による第２のコネクタアセンブリの斜視端面図である。
【図１５】図１４の切断線１５−１５に沿った断面図である。
【図１６】図３に示される第１のコネクタアセンブリと、図４に示された第２のコネクタアセンブリと、仮想線で示されるアンビルアセンブリと、を含む図２に示される装填ユニットの側面斜視図である。
【図１７】図１６に示される線１７−１７に沿った図１３に示される、第２のコネクタアセンブリの断面端面図である。
【図１８】図１６の線１８−１８に沿った第２のコネクタアセンブリの断面端面図である。
【発明を実施するための形態】
【００１１】
次に、本開示による外科用ステープル留め器具のコネクタ機構の実施形態が、ここで図面を参照して詳細に説明され、これらの図面では、同様の参照番号は、いくつかの図の各々における同一または対応する要素を指している。この説明において、「近位」という用語は、概して、臨床医により近い、器具の部分を指すために使用される一方、「遠位」という用語は、概して、臨床医からより遠い、器具の部分を指すために使用される。
【００１２】
本開示の実施形態は、交換可能なカートリッジアセンブリと外科用ステープル留め器具のツールアセンブリとの間の改善された接続に対処する。
【００１３】
図１は、本開示の例示的実施形態による、コネクタ機構を含む外科用ステープル留め器具を示しており、概して、外科用ステープル留め器具１０として示されている。外科用ステープル留め器具として例示されているが、本開示の態様は、ハンドルアセンブリと電気的に通信する交換可能なユニットを含む他の種類のエンドエフェクタと共に使用するために改変されてもよい。外科用ステープル留め器具１０は、動力式ハンドルアセンブリ１２と、アダプタアセンブリ１４と、装填ユニット１００と、を含む。ハンドルアセンブリ１２およびアダプタアセンブリ１４は、装填ユニット１００の動作をもたらすように構成されている。例示的なハンドルおよびアダプタアセンブリの構造および機能の詳細な説明については、その全体が参照により本明細書に組み込まれている、共同所有された米国特許第９，０５５，９４３号（「‘９４３特許」）を参照されたい。装填ユニット１００は、外科用ステープル留め器具１０のアダプタアセンブリ１４に選択的に固定されるものとして図示および記載されているが、装填ユニット１００は、アダプタアセンブリ１４の遠位端上で直接支持され、かつ／またはハンドルアセンブリ１２によって直接支持され得ることが想定される。
【００１４】
図１および図２を参照すると、装填ユニット１００は、近位本体部分１０２と、ツールアセンブリ１０４と、を含む。装着アセンブリ１０６は、ツールアセンブリ１０４に固定されており、かつ装填ユニット１００の近位本体部分１０２に旋回可能に結合されて、ツールアセンブリ１０４を近位本体部分１０２に旋回可能に固定する。装填ユニット１００は、実質的に、米国特許出願公開第２０１６／０２４９９２９号（「‘９２９公開」）に説明されているとおりである。‘９２９公開は、その全体が参照により本明細書に組み込まれている。したがって、装填ユニット１００は、本開示の態様を完全に開示するのに必要な範囲でのみ説明される。
【００１５】
図３〜図６を参照すると、装填ユニット１００のツールアセンブリ１０４は、アンビルアセンブリ１０８と、ツールアセンブリ１００の顎部材１１０内に受容可能な交換可能なカートリッジアセンブリ１２０と、を含む。アンビルアセンブリ１０８および顎部材１１０は、開放位置（図２）と接近位置（図１６）との間で互いに対して移動可能である。カートリッジアセンブリ１２０は、支持板１２２と、支持板１２２内に固定的に受容されるカートリッジ本体１２４と、を含む。カートリッジ本体１２４は、複数のステープル（図示せず）を支持する。輸送部材１２６は、カートリッジ本体１２４内にステープルを保持するために、および／または装填ユニット１００の早期発射を防止するために、カートリッジ本体１２４に解放可能に固定される。
【００１６】
カートリッジ本体１２４および支持板１２２は、参照により本明細書に組み込まれている‘９４３特許に記載されているように、スナップ嵌め接続によって顎部材１１０に取り付けられている。カートリッジアセンブリ１２０を顎部材１１０に固定する他の形態が企図され、スナップ嵌め接続の代わりにまたはそれに加えて使用されてもよい。
【００１７】
装填ユニット１００のツールアセンブリ１０４は、顎部材１１０（図５）内に配設された第１のまたは雄型のコネクタアセンブリ１４０と、カートリッジアセンブリ１２０に固定された第２のまたは雌型のコネクタアセンブリ１６０（図６）と、を有する、コネクタ機構１３０（図１６）を含む。更に詳細に後述するように、カートリッジアセンブリ１２０が装填ユニット１００の顎部材１１０に装填されたときに、コネクタ機構１３０の第２のコネクタアセンブリ１６０は、コネクタ機構１３０の第１のコネクタアセンブリ１４０に電気的に結合して、カートリッジアセンブリ１２０の仕様、例えば、ステープルのサイズ、数、および／または構成を、外科用ステープル留め器具１０のハンドルアセンブリ１２（図１）に提供する。
【００１８】
ここで図７〜図９を参照すると、装填ユニット１００のツールアセンブリ１０６（図１）の顎部材１１０は、カートリッジアセンブリ１２０（図４）を受容するためのチャネル１１１を画定する。顎部材１１０は、チャネル１１１内に延在するフランジ１１２（図９）を含む。更に詳細に後述するように、フランジ１１２の自由端のタブ１１２ａ（図８）は、チャネル１１１内にコネクタ機構１３０（図１５）の第１のコネクタアセンブリ１４０を固定するように構成されている。顎部材１１０は、第１のコネクタアセンブリ１４０のボス１４４（図１０）を受容するための、フランジ１１２に隣接して配設された開口部１１３（図９）を画定する。
【００１９】
加えて図１０を参照すると、コネクタ機構１３０の第１のコネクタアセンブリ１４０は、第１のコネクタハウジング１４２を含む。第１のコネクタハウジング１４２は、スロット１４３を画定し、それを通って、ツールアセンブリ１０６の顎部材１１０のフランジ１１２が受容される。図８に示すように、顎部材１１０のフランジ１１２が第１のコネクタハウジング１４２のスロット１４３を通って受容されたときに、フランジ１１２の自由端に形成または支持されるタブ１１２ａは、第１のコネクタハウジング１４２と係合し、第１のコネクタアセンブリ１４０を顎部材１１０に固定する。この様態で、第１のコネクタアセンブリ１４０は、スナップ保持によって顎部材１１０に固定される。第１のコネクタハウジング１４２は、ボス１４４を含む。上記のように、ボス１４４は、フランジ１１２がスロット１４３内に受容されたときに、顎部材１１０の開口部１１３（図９）内に受容されるように構成される。顎部材１１０の開口部１１３内に第１のコネクタハウジング１４２のボス１４４を受容することは、顎部材１１０内にカートリッジアセンブリ１２０を装填する間に、第１のコネクタアセンブリ１４０に追加のトルク抵抗を提供する。
【００２０】
第１のコネクタアセンブリ１４０がフランジ１１２および開口部１１３によってツールアセンブリ１０６の顎部材１１０に固定されているように示されているが、第１のコネクタアセンブリ１４０は、任意の好適な様態で顎部材１１０に固定され得ることが想定される。例えば、第１のコネクタアセンブリ１４０は、顎部材１１０にヒートステーク、接着、溶接、または他の方法で固定されてもよい。
【００２１】
続けて図１０を参照すると、第１および第２のコネクタ部材１４６、１４８は、第１のコネクタハウジング１４２から外向きに延在し、かつカートリッジアセンブリ１２０が顎部材１１０のチャネル１１１内に受容されたときに、コネクタ機構１３０の第２のコネクタアセンブリ１６０（図６）と係合するように位置決めおよび構成される。実施形態では、かつ図示されるように、第１および第２のコネクタ部材１４６、１４８の各々の前部分１４６ａ、１４８ａは、第１のコネクタアセンブリ１４０の、コネクタ機構１３０の第２のコネクタアセンブリ１６０との係合を容易にするために、それぞれ面取りされている。実施形態では、第１および第２のコネクタ部材１４６、１４８は、サイズが約０．０５インチ×０．０１５インチであり、厚さ０．００７５インチの金属薄板を折り曲げることによって形成されている。実施形態では、第１および第２のコネクタ部材１４６、１４８は、０．０５０インチだけ離間配置されている。代替的に、他の寸法特性が想定される。
【００２２】
図１１および図１２を参照すると、カートリッジアセンブリ１２０のカートリッジ本体１２４は、カートリッジ本体１２４の近位部分１２４ａから延在する突起１２６を含む。突起１２６は、コネクタ機構１３０の第２のコネクタアセンブリ１６０を受容するための凹部１２７を画定する。突起１２６は、凹部１２７の開口端部とは反対側に切り欠き１２７ａを更に画定する。切り欠き１２７ａは、第２のコネクタハウジング１６２のタブ１６６ａを受容して、第２のコネクタハウジング１６２をカートリッジ本体１２４に固定するように構成されている。突起１２６は、第２のコネクタアセンブリ１６０が凹部１２７内に受容され、かつカートリッジアセンブリ１２０が顎部材１１０内に装填されたときに、第２のコネクタアセンブリ１６０が顎部材１１０に固定されている第１のコネクタアセンブリ１４０と係合するように構成されている。
【００２３】
第２のコネクタアセンブリ１６０は、基部部分１６４と、延長部分１６６と、を有する、第２のコネクタハウジング１６２を含み、かつ第１および第２の凹部１６３、１６５を画定する（図１５）。更に詳細に後述するように、第１および第２の接触部材、例えば、コイルばね１８２、１８４（図１３）または板ばね１９２、１９４（図１５）は、それぞれの第１および第２の凹部１６３、１６５（図１３）または１６３’、１６５’（図１５）内に動作可能に配設される。
【００２４】
封止部材１６８は、第２のコネクタアセンブリ１６０の第２のコネクタハウジング１６２の基部部分１６４に固定されてもよい。実施形態では、かつ図示されるように、封止部材１６８（図１２）は、第２のコネクタハウジング１６２の基部部分１６４に外側被覆される。代替的に、封止部材１６８は、コネクタハウジング１６２に接着されるか、または他の方法で固定される、例えば、Ｏリングなどの周囲のビードを含んでもよい。封止部材１６８は、第１および第２の接触部材、例えば、第２のコネクタハウジング１６２の第１および第２の凹部１６３、１６５内に、それぞれ受容されるコイルばね１８２、１８４（図１３）または板ばね１９２、１９４（図１５）へのアクセスを提供するための、第１および第２のアパーチャ１６７、１６９を画定する。第２のコネクタアセンブリ１６０の第２のコネクタハウジング１６２と第１のコネクタアセンブリ１４０の第１のコネクタハウジング１４２との間に封止を提供することに加えて、封止部材１６８は、第１および第２のコネクタ部材１４６、１４８（図５）が封止部材１６８のそれぞれの第１および第２のアパーチャ１６７、１６９を通って受容されたときに、洗浄アクション、例えば、スキージまたは拭き取りアクションを提供してもよい。封止部材１６８はまた、装填ユニット１００および外科用ステープル留め器具１０（図１）に静電放電保護を提供してもよい。
【００２５】
第２のコネクタアセンブリ１６０の第２のコネクタハウジング１６２の延長部１６６は、第２のコネクタハウジング１６２をカートリッジ本体１２４の突起１２６の凹部１２７内に固定するためのタブ１６６ａ（図１１）を含む。より具体的には、第２のコネクタハウジング１６２のタブ１６６ａは、第２のコネクタハウジング１６２の延長部１６６が凹部１２７内に受容されて、第２のコネクタハウジング１６２を突起１２６内にスナップ保持によって固定するときに、突起１２６に形成された切り欠き１２７ａ内に受容される。
【００２６】
第２のコネクタアセンブリ１６０は、識別チップ１７０（図１３）を更に含む。識別チップ１７０は、第２のコネクタハウジング１６２の基部部分１６４内もしくは第２のコネクタハウジング１６２の延在部分１６６内に配設されてもよく、または基部１６４と延在部１６６との間に延在してもよい。代替的に、識別チップ１７０は、カートリッジアセンブリ１２０内の他の場所に配設されてもよく、適切な方法を使用して第２のコネクタアセンブリ１６０に電気的に接続されてもよい。
【００２７】
識別チップ１７０は、カートリッジアセンブリ１２０の仕様、例えば、カートリッジサイズ、ステープル配置、ステープル長、締め付け距離、製造日、モデル番号、ロット番号、有効期限などを含む情報を記憶すること、および情報のうちの少なくともいくつかをハンドルアセンブリ１２（図１）に送信することが可能な任意の市販のチップを含んでもよい。一実施形態では、識別チップ１７０は、消去可能なプログラム可能読み取り専用メモリチップ（「ＥＰＲＯＭ」または「ＥＥＰＲＯＭ」）を含む。実施形態では、ＥＰＲＯＭは、ＵＶで消去可能であり、ＥＥＰＲＯＭは、電気で消去可能である。この様態で、取り付けられたカートリッジアセンブリ１２０の構成は、ハンドルアセンブリ１２に中継されてもよく、それによって、例えば、ハンドルアセンブリ１２の発射力および／または発射行程の長さが特定のカートリッジアセンブリ１２０に適応するように調整されてもよい。
【００２８】
データが識別チップ１７０に書き込まれ得るように、ＥＰＲＯＭまたはＥＥＰＲＯＭの代わりに、識別チップ１７０が読み取り／書き込みＲＡＭなどの読み取り／書き込みメモリチップであり得ることが想定される。例えば、空のもしくは部分的に発射された装填ユニットの再使用を防止するために、または任意の他の目的のために、使用情報は、装填ユニット１００が完全にもしくは部分的に発射されたことを識別する識別チップ１７０に書き込まれてもよい。
【００２９】
図１３を参照すると、第２のコネクタアセンブリ１６０の第１の実施形態では、第１および第２の接触部材は、第１および第２のコイルばね１８２、１８４を含む。第１および第２のコイルばね１８２、１８４は、第２のコネクタハウジング１６２のそれぞれの第１および第２の凹部１６３、１６５内に受容される。第１および第２のコイルばね１８２、１８４は、顎部材１１０内でカートリッジアセンブリ１２０を受容する間に、第１のコネクタアセンブリ１４０のそれぞれの第１および第２のコネクタ部材１４６、１４８によって係合されるように構成されている。第１および第２のコネクタ部材１４６、１４８がそれぞれの第１および第２のコイルばね１８２、１８４と係合したときに、第１および第２のコイルばね１８２、１８４は、図１７の矢印「Ａ」によって示されるように圧縮して、第１および第２のコネクタ部材１４６、１４８とそれぞれの第１および第２のコイルばね１８２、１８４との間の電気的接触を確実にする。
【００３０】
実施形態では、第１および第２のコイルばね１８２、１８４は、圧縮ばねである。例えば、第１および第２のばね１８２、１８４は、英国のＬｅｅ  Ｓｐｒｉｎｇによって提供される圧縮ばねであってもよい。実施形態では、圧縮ばねは、０．０２４インチの外径、０．０３１インチの孔径、０．００４インチのワイヤ径、０．０３９インチの自由長さ、１１．２４ポンド／インチの圧縮率、０．０２６インチの密着長さ、０．０１２インチのロッド径を有してもよく、かつ／またはステンレス鋼もしくは他の好適な導電材料で形成されてもよい。代替的に、他のばねの種類および寸法が想定される。
【００３１】
図１４〜図１８を参照すると、第２のコネクタアセンブリ１６０の第２の実施形態では、第１および第２の接触部材は、第１および第２の板ばね１９２、１９４を含む。第１および第２の板ばね１９２、１９４は、第２のコネクタハウジング１６２’のそれぞれの第１および第２の凹部１６３’、１６５’（図１５）内に受容される。第１および第２の板ばね１９２、１９４は、装填ユニット１００の顎部材１１０内にカートリッジアセンブリ１２０を受容する間に、第１のコネクタアセンブリ１４０のそれぞれの第１および第２のコネクタ部材１４６、１４８によって係合されるように構成されている。第１および第２のコネクタ部材１４６、１４８がそれぞれの第１および第２の板ばね１９２、１９４と係合したときに、第１および第２の板ばね１９２、１９４の係合部分１９２ｂ、１９４ｂは、図１８に示されている矢印「Ｂ」および「Ｃ」でそれぞれ示されるように内側に撓んで、第１および第２のコネクタ部材１４６、１４８とそれぞれの第１および第２の板ばね１８２、１８４との間の電気的接触を確実にする。
【００３２】
実施形態では、かつ図示されるように、第１および第２の板ばね１９２、１９４は、それぞれ細長い本体部分１９２ａ、１９４ａ、およびそれぞれ係合部分１９２ｂ、１９４ｂを各々含む。各係合部分１９２ｂ、１９４ｂは、それぞれ図１８に示されている矢印「Ｂ」および「Ｃ」によって示されるように、それぞれの第１および第２の板ばね１９２、１９４の内向きの撓みを容易にするための傾斜面１９３、１９５を含んでもよい。実施形態では、第１および第２の板ばね１９２、１９４は、１７〜７ＰＨ  ＲＨ  ９５０の材料から形成され、かつ／または０．００５インチの厚さを含む。実施形態では、第１および第２の板ばね１９２、１９４は、０．０２０インチだけ撓むように構成されている。代替的に、他のばねの種類および特徴が想定される。
【００３３】
図１６を参照すると、装填ユニット１００は、カートリッジアセンブリ１２０がツールアセンブリ１０４の顎部材１１０内に受容された状態で示されている。カートリッジアセンブリ１２０が顎部材１１０内に受容されると、コネクタ機構１３０の第２のコネクタアセンブリ１６０は、コネクタ機構１３０の第１のコネクタアセンブリ１４０と係合する。より具体的には、図１７を参照すると、カートリッジアセンブリ１２０が顎部材１１０内に受容されたときに、第１のコネクタアセンブリ１４０の第１および第２のコネクタ部材１４６、１４８（図５）が第２のコネクタアセンブリ１６０の第１および第２のコイルばね１８２、１８４（図１３）と係合して、図１７の矢印「Ａ」で示されるように、第１および第２のコイルばね１８２、１８４を圧縮させて、第１および第２のコネクタ部材１４６、１４８とそれぞれの第１および第２のコイルばね１８２、１８４との間の電気的接続を確実にする。
【００３４】
上記のように、第２のコネクタハウジング１６２の基部部分１６４上の封止部材１６８は、洗浄アクション、例えばスキージまたは拭き取りアクションを提供して、第１および第２のコネクタ部材１４６、１４８が封止部材１６８のそれぞれのアパーチャ１６７、１６９（図６）を通って受容されたときに、それぞれの第１および第２のコネクタ部材１４６、１４８からいかなる残屑も除去する。
【００３５】
代替的に、図１８を参照すると、カートリッジアセンブリ１２０が顎部材１１０と共に受容されるとき、第１のコネクタアセンブリ１４０の第１および第２のコネクタ部材１４６、１４８は、第２のコネクタアセンブリ１６０の第１および第２の板ばね１９２、１９４とそれぞれ係合して、図１８の矢印「Ｂ」および「Ｃ」によってそれぞれ示されるように、第１および第２の板ばね１９２、１９４を内側に撓ませて、第１および第２のコネクタ部材１４６、１４８とそれぞれの第１および第２の板ばね１９２、１９４との間の電気的接続を確実にする。それぞれの第１および第２のコネクタ部材１４６、１４８の面取りされた前縁１４６ａ、１４８ａ、ならびに／またはそれぞれの第１および第２の板ばね１９２、１９４の傾斜面１９３、１９５のいずれかまたは両方は、第１および第２の板ばね１９２、１９４の内側への撓みを容易にする。
【００３６】
カートリッジアセンブリ１２０が装填ユニット１００のツールアセンブリ１０４の顎部材１１０内に適切に装填されると、外科用ステープル留め器具１０（図１）は、従来の様態で動作する。
【００３７】
当業者であれば、本明細書において具体的に説明され、添付の図面に例示される装置および方法が、非限定的かつ例示的な実施形態であることを理解するであろう。１つの例示的な実施形態に関連して例示または説明される要素および特徴は、本開示の範囲から逸脱することなく、別の要素および特徴と組み合わせることができることが想到される。同様に、当業者であれば、上述の実施形態に基づく本開示の更なる特徴および利点を理解するであろう。したがって、本開示は、添付の特許請求の範囲によって示される場合を除いて、具体的に図示および説明されているものによって限定されるものではない。
【図１】
2020044327.tif 000003
【図２】
2020044327.tif 000004
【図３】
2020044327.tif 000005
【図４】
2020044327.tif 000006
【図５】
2020044327.tif 000007
【図６】
2020044327.tif 000008
【図７】
2020044327.tif 000009
【図８】
2020044327.tif 000010
【図９】
2020044327.tif 000011
【図１０】
2020044327.tif 000012
【図１１】
2020044327.tif 000013
【図１２】
2020044327.tif 000014
【図１３】
2020044327.tif 000015
【図１４】
2020044327.tif 000016
【図１５】
2020044327.tif 000017
【図１６】
2020044327.tif 000018
【図１７】
2020044327.tif 000019
【図１８】
2020044327.tif 000020